(57)【要約】【課題】紙幣収納庫内に常に損券が存在することによる資金効率の低下を抑制し、出金取引時の処理時間を短縮する。【解決手段】入力部で損券の回収が選択されたとき、紙幣入出金機の紙幣収納庫から紙幣を繰り出して鑑別部に送り、鑑別部で正券と鑑別された紙幣を紙幣入出金機の一時集積部に集積し、損券と鑑別された紙幣を紙幣入出金機の出金口に搬送して出金することでオペレータに損券のみを回収させる。【選択図】        図１
2006268605.tif 000002
【特許請求の範囲】
【請求項１】
取引選択の操作等を行う入力部と、入金時に鑑別部で入金可能と鑑別された紙幣を正券、損券に拘らず一時集積部に集積した後、この一時集積部の紙幣をすべて紙幣収納庫に収納し、出金時には前記紙幣収納庫から繰り出した紙幣を前記鑑別部で鑑別して、出金可能と鑑別された正券の紙幣のみを出金口から出金する紙幣入出金機とを備えた現金処理装置において、
前記入力部で損券の回収が選択されたとき、前記紙幣入出金機の紙幣収納庫から紙幣を繰り出して前記鑑別部に送り、鑑別部で正券と鑑別された紙幣を前記一時集積部に集積し、損券と鑑別された紙幣を前記出金口に搬送して出金するよう制御する制御手段を備えたことを特徴とする現金処理装置。
【請求項２】
取引選択の操作等を行う入力部と、入金時に鑑別部で入金可能と鑑別された紙幣を正券、損券に拘らず一時集積部に集積した後、この一時集積部の紙幣をすべて紙幣収納庫に収納し、出金時には前記紙幣収納庫から繰り出した紙幣を前記鑑別部で鑑別して、出金可能と鑑別された正券の紙幣のみを出金口から出金する紙幣入出金機と、着脱自在な補充回収カセットを有する補充回収機とを備えた現金処理装置において、
前記入力部で損券の回収が選択されたとき、前記紙幣入出金機の紙幣収納庫から紙幣を繰り出して前記鑑別部に送り、鑑別部で正券と鑑別された紙幣を前記一時集積部に集積し、損券と鑑別された紙幣を前記補充回収機の補充回収カセットに搬送して収納させるよう制御する制御手段を備えたことを特徴とする現金処理装置。
【請求項３】
取引選択の操作等を行う入力部と、入金時に鑑別部で入金可能と鑑別された紙幣を正券、損券に拘らず一時集積部に集積した後、この一時集積部の紙幣をすべて紙幣収納庫に収納し、出金時には前記紙幣収納庫から繰り出した紙幣を前記鑑別部で鑑別して、出金可能と鑑別された正券の紙幣のみを出金口から出金する紙幣入出金機と、紙幣を施封して小束にする施封部及び小束出金口を有する施封小束支払機とを備えた現金処理装置において、
前記入力部で損券の回収が選択されたとき、前記紙幣入出金機の紙幣収納庫から紙幣を繰り出して前記鑑別部に送り、鑑別部で正券と鑑別された紙幣を前記一時集積部に集積し、損券と鑑別された紙幣を前記施封小束支払機に搬送して前記施封部で小束に施封した後、小束出金口に搬送して出金するよう制御する制御手段を備えたことを特徴とする現金処理装置。
【請求項４】
請求項１、または請求項２、請求項３において、
前記制御手段は、損券の回収時、前記鑑別手段で正券と鑑別された紙幣を前記一時集積部に集積して、一定枚数集積する毎に前記紙幣収納庫に収納させることを特徴とする現金処理装置。
【請求項５】
請求項１、または請求項２、請求項３において、
前記紙幣収納庫内の現金の在高を記憶した在高記憶部段と、前記紙幣収納庫から繰り出される紙幣の枚数を１枚ずつ加算して記憶する繰出枚数記憶部段とを備え、
前記制御手段は、損券の回収時、繰出枚数記憶部段に記憶された枚数が前記在高記憶部に記憶された値に達したとき前記紙幣収納庫からの紙幣の繰り出しを終了させることを特徴とする現金処理装置。
【発明の詳細な説明】
【技術分野】
【０００１】
本発明は、金融機関で用いられる現金処理装置に関するもので、特に紙幣入出金機及び紙幣補充回収機、施封小束支払機等を備えた現金処理装置に関するものである。
【背景技術】
【０００２】
従来のこの現金処理装置として、紙幣入出金機での入金取引時に鑑別部で損券と鑑別された紙幣を正券と共に紙幣収納庫に金種別に収納し、出金取引時に鑑別部で損券と鑑別された紙幣を補充回収機に装着されている補充回収カセットに搬送して回収するようにしたものがある（例えば、特許文献１参照）。
【特許文献１】特開２００４−５４６０３（段落「００１４」、段落「００３２」〜段落「００４２」、図２、図４、図５）
【発明の開示】
【発明が解決しようとする課題】
【０００３】
しかしながら、上述した従来の技術においては、出金に利用しない損券の紙幣が入金されると、その紙幣が紙幣入出金機の紙幣収納庫内に滞留することになるので、資金効率が低下するという問題があり、また出金取引時に損券の鑑別が必要となるので、出金の取引処理時間が長くなるという問題もある。
本発明は、このような問題を解決することを課題とする。
【課題を解決するための手段】
【０００４】
そのため、本発明は、取引選択の操作等を行う入力部と、入金時に鑑別部で入金可能と鑑別された紙幣を正券、損券に拘らず一時集積部に集積した後、この一時集積部の紙幣をすべて紙幣収納庫に収納し、出金時には前記紙幣収納庫から繰出した紙幣を前記鑑別部で鑑別して、出金可能と鑑別された正券の紙幣のみを出金口から出金する紙幣入出金機とを備えた現金処理装置において、前記入力部で損券の回収が選択されたとき、前記紙幣入出金機の紙幣収納庫から紙幣を繰り出して前記鑑別部に送り、鑑別部で正券と鑑別された紙幣を前記一時集積部に集積し、損券と鑑別された紙幣を前記出金口に搬送して出金するよう制御する制御手段を備えたことを特徴とする。
【発明の効果】
【０００５】
このようにした本発明は、前記入力部で損券の回収が選択されると紙幣入出金機の紙幣収納庫から紙幣を繰り出して損券のみ出金口から出金するようにしているため、オペレータは現金処理装置の空き時間に損券を回収することができ、そのため紙幣収納庫内に常に損券が存在することによる資金効率の低下を抑制することができると共に、損券回収後に行われる出金取引については、その取引処理に要する時間を短縮できるという効果が得られる。
【発明を実施するための最良の形態】
【０００６】
以下、図面を参照して本発明による現金処理装置の実施例を説明する。
【実施例】
【０００７】
図１〜図３は第１の実施例を示す損券回収動作時のフローチャート、図４は本発明による現金処理装置の構成を示すブロック図、図５は本発明における主要現金処理ユニットの内部構成を示す概略側面図である。
まず、図４に示す現金処理装置の構成について説明すると、この現金処理装置は、金融機関の店舗内に設置され、金融機関のオペレータが操作して入出金等の取引を行うもので、紙幣入出金機１、紙幣補充回収機２、施封小束支払機３、及び図示しない新券紙幣支払機、棒金支払機、硬貨入出金機等の各現金処理ユニットと、キーボード等による入力部４、ＣＲＴやＬＣＤ等による表示部５、プリンタ６、第１の記憶部７、第２の記憶部８、通信部９、制御部１０等によって構成されている。
【０００８】
ここで、紙幣入出金機１、紙幣補充回収機２、施封小束支払機３は、それぞれ独立した現金処理ユニットとして構成され、互いに隣接するように横一列に配置されるもので、  その配列順序は任意であるが、ここでは、例えば紙幣補充回収機２を間に挟んでその左右に紙幣入出金機１と施封小束支払機３を配置したものとする。
入力部４はオペレータが現金処理装置使用する際、入金、出金、施封等の取引の選択や、選択された取引の処理に必要な情報等のを入力操作を行うもので、キーボードやポインティングデバイス等が用いられ、また表示部５はオペレータに対する操作誘導表示や、入力部４から入力された情報を表示するもので、ＬＣＤ（液晶表示装置）等が用いられる。
【０００９】
プリンタ６は制御部１０の指示により当該装置で処理した内容等を必要に応じて用紙に印字し、出力する。
第１の記憶部７は制御プログラム（ソフトウエア）や各取引において表示部に表示する画面の情報等を格納したメモリ、第２の記憶部８は入力部から入力された情報や通信部を介して他の装置から受信した情報等を記憶するメモリで、制御部１０は第１の記憶部７に格納された制御プログラムに基づいて前記各現金処理ユニットの動作を制御すると共に画面情報に基づいて必要な画面を表示部５に表示するものとなっている。
【００１０】
この制御部１０は、各現金処理ユニットの収納庫等に収納されている現金の在高を金種別に記憶する現金在高カウンタ（在高記憶部）１０ａと、紙幣入出金機１等の紙幣収納庫から繰り出した紙幣を金種別に記憶する繰出枚数カウンタ（繰出枚数記憶部）１０ｂを有している。
通信部９は、店舗内に構築されるＬＡＮなどのネットワークに接続されており、制御部１０はこの通信部９を介して図示しない窓口端末や顧客操作用のＡＴＭと情報の通信を行うものとなっている。
【００１１】
次に、図５により紙幣入出金機１と紙幣補充回収機２と施封小束支払機３の構成について説明する。
紙幣入出金機１は、入金取引時に紙幣を投入する入金口２１、投入された紙幣の真偽、金種、表裏、正損等を鑑別及び真券紙幣の計数等を行う第１の鑑別部２２、この第１の鑑別部２２で金種不明等のリジェクト券と鑑別された紙幣を返却する入金リジェクト口（以下、入金ＲＪ口）２３、出金用の紙幣を金種別に収納する紙幣収納庫２４ａ〜２４ｄ、各紙幣収納庫２４ａ〜２４ｄ上に設けられた一時集積部２５ａ〜２５ｄ、出金取引時に各紙幣収納庫２４ａ〜２４ｄの下部から繰り出された紙幣の真偽、金種、表裏、正損等を鑑別及び真券紙幣の計数等を行う第２の鑑別部２６、この第２の鑑別部２６で金種不明等のリジェクト券と鑑別された紙幣を収納する出金リジェクト収納庫（以下、出金ＲＪ庫）２７、第２の鑑別部２６で正常と鑑別された紙幣を集積して出金する出金口２８、これらの間で紙幣を搬送する搬送路２９を備えている。
【００１２】
尚、紙幣収納庫２４ａ〜２４ｄのうち、紙幣収納庫２４ａは万円紙幣を収納するものとし、また、紙幣収納庫２４ｂは五千円紙幣を、紙幣収納庫２４ｃは二千円紙幣を、紙幣収納庫２４ｄは千円紙幣をそれぞれ収納するものとする。
一方、紙幣補充回収機２は、着脱可能な補充回収カセット３１、補充回収カセット３１上に設けられた一時集積部３２、補充回収カセット３１の上部から繰り出された紙幣の真偽、金種、表裏、正損等を鑑別及び真券紙幣の計数等を行う鑑別部３３、補充回収カセット３１の上部と鑑別部３３及び鑑別部３３と補充回収カセット３１の下部を結んでこれらの間で紙幣を搬送する搬送路３４を備えており、補充回収カセット３１から紙幣を繰り出して自動計数する機能、及び紙幣入出金機１等から送られてくる補充用の紙幣を補充回収カセット３１に収納する機能を有している。
【００１３】
また、施封小束支払機３は金種別に紙幣を集積する複数の集積部４１、紙幣入出金機１等からの紙幣を各集積部４１に搬送する搬送路４２、各集積部４１に集積された一定枚数（例えば１００枚）の紙幣を紙等の帯で施封して小束を作成する施封部４３、施封部４３で作成された小束を小束出金口４５に搬送する小束搬送路４４等を備えている。
これら紙幣入出金機１、紙幣補充回収機２、及び施封小束支払機３は前述の特許文献１に示される回転搬送路と接続用搬送路からなる紙幣搬送手段を備えており、この紙幣搬送手段によって紙幣入出金機１と紙幣補充回収機２と施封小束支払機３の間で紙幣を１枚ずつ搬送して互いに授受できるようになっている。
【００１４】
ここで、現金処理装置の入金動作について図５を用いて説明する。
尚、図中の太い線は紙幣の流れを示している。
金融機関のオペレータが表示部５に表示されている取引のメニュー画面を見て、入力部４により入金取引を選択すると制御部１０により紙幣入出金機１に入金処理の指示が送られる。
【００１５】
これにより紙幣入出金機１は、入金口２１のシャッターを開くので、オペレータが入金口に紙幣をセットすると、シャッターが閉じ、分離手段により紙幣が１枚ずつ分離して取り込まれ、搬送路２９により第１の鑑別部２２に搬送されて真偽、金種、表裏、正損等の鑑別が行われる。
その結果、偽券（金種不明券）等と鑑別されたリジェクト紙幣は搬送路２９により入金ＲＪ口２３に搬送されて集積され、オペレータに返却される。
【００１６】
第１の鑑別部２２で真券と鑑別された紙幣は正券、損券に拘らず金種別に計数され、搬送路２９により紙幣収納庫２４ａ〜２４ｄに向かって搬送され、一時集積部２５ａ〜２５ｄに金種別に振り分けて集積される。
そして入金口２１の紙幣がすべて繰り出されて鑑別され、真券の紙幣がすべて一時集積部２５ａ〜２５ｄに集積されると、それらの紙幣の計数結果が表示部５に表示される。
【００１７】
これをみて、オペレータが入力部４により取引承認の情報を入力すると、一時集積部２５ａ〜２５ｄに集積された紙幣は紙幣収納庫２４ａ〜２４ｄに収納され、そして制御部１０により今回入金された紙幣の金額が金種毎に紙幣入出金機用の現金在高カウンタ１０ａの値に加算され、カウンタ値が更新される。
次に、出金動作について説明する。
【００１８】
オペレータが表示部５に表示されている取引のメニュー画面を見て、入力部４により出金取引を選択し、紙幣の金種毎の枚数（または金額）を入力すると、制御部１０がその紙幣の情報と出金指示を紙幣入出金機１に送信する。
これにより現金処理装置１の紙幣収納庫２４ａ〜２４ｄのうちの指定金種に該当する収納庫の下部から繰出手段により紙幣が１枚ずつ繰り出されて搬送路２９により第２の鑑別部２６に搬送され、真偽、金種、表裏、正損等の鑑別が行われる。
【００１９】
その結果、偽券等と鑑別されたリジェクト紙幣は搬送路２９により出金ＲＪ庫２７に搬送されて収納される。
第２の鑑別部２６により真券でかつ出金可能な正券と鑑別された紙幣は、金種別に計数されてから搬送路２９により出金口２８に搬送されて集積される。
また、第２の鑑別部２６により出金に利用できない損券と鑑別された紙幣は、回転搬送路及び接続用搬送路により紙幣補充回収機２に送り込まれ、この紙幣補充回収機２内の搬送路３４により補充回収カセット３１上の一時集積部３２に送られて収納される。
【００２０】
前記出金口２８にオペレータが指定した金種、枚数の紙幣が集積されると、この出金口２８のシャッターが開いて、紙幣がオペレータに出金され、そして制御部１０により今回出金された紙幣の金額と補充回収カセットに収納した金額が金種毎に紙幣入出金機用の現金在高カウンタ１０ａの値から減算され、カウンタ値が更新される。
このようにして、入金と出金が繰り返されると、紙幣補充回収機２の補充回収カセット３１に損券が徐々に溜まって行くが、その一方で紙幣入出金機１の紙幣収納庫２４a〜２４ｄには常に損券が存在し、この紙幣収納庫２４a〜２４ｄ内の損券が資金効率を低下させ、また出金取引時の処理時間を長引かせる要因となっている。
【００２１】
そこで、本発明は紙幣入出金機１の紙幣収納庫２４a〜２４ｄ内の損券を現金処理装置の空き時間等に回収するものである。
その第１の実施例を図１〜図３のフローチャートと共に、図４及び図６を参照して説明する説明する。
図６は損券回収時の紙幣の流れを示す説明図である。
【００２２】
尚、以下の説明は、図１〜図３のフローチャートにＳで示したステップに従って行う。
現金処理装置が使用されていない空き時間に、表示部５には取引のメニュー画面が表示されている。
本実施例では、特に紙幣入出金機１の空き時間にオペレータが入力部４を操作してメニュー画面に表示されている損券回収を選択すると、制御部１０は損券回収画面を表示部５に表示する（Ｓ１）。
【００２３】
図７はこのときの損券回収画面例を示す図で、損券を出金口２８に排出する旨等のメッセージと共に、全金種を一括して指定するキーや金種毎に指定するキー、回収枚数、回収金額を表示するエリアＡ、動作開始を指定するキーＢ、回収完了を指定するキーＣ等と共に表示されている
この損券回収画面を見てオペレータが入力部４を操作して損券回収を行う金種を指定する（Ｓ２）。この場合、金種の指定は任意であるが、ここでは金種毎のキーをクリックすることで「万」と「千」を指定したものとする。
【００２４】
この金種指定後、動作開始を指示するためにオペレータが入力部４を操作して動作開始キーＢを押下すると（Ｓ３）、これを受けて制御部１０は紙幣入出金機１に回収動作の開始を指示し、これにより紙幣入出金機１は紙幣収納庫２４ａの下部から図示しない繰り出し手段により万円券を１枚ずつ繰り出す（Ｓ４）。
繰り出された紙幣は図示しないセンサにより検知され、その検知信号により制御部１０は万円紙幣用の繰出枚数カウンタ１０ｂで紙幣の繰出枚数をカウントする。この繰出枚数カウンタ１０ｂの値は予め「０」にクリアされており、紙幣が繰り出される毎に値を「１」ずつ加算して行く。
【００２５】
また、繰り出された紙幣は搬送路２９により第２の鑑別部に搬送して金種、正損等の鑑別を行う（Ｓ５）。
その結果、万円の正券ならば計数後、紙幣収納庫２４ａの上部にある一時集積部２５ａへ搬送路２９により搬送して集積し（Ｓ６）、また鑑別した紙幣が万円の損券なら計数後、搬送路２９により出金口２８に搬送して集積（Ｓ７）すると共に、前記図７に示した損券回収画面のエリアＡに金種別の回収枚数、金種別の回収金額、合計金額を表示する。
【００２６】
更に、鑑別した紙幣が繰り出し失敗等に起因する重ね送りや異金種などの場合は、リジェクト券として搬送路２９により出金ＲＪ庫２７へ搬送して収納する（Ｓ８）。
制御部１０は前記のように一時集積部２５ａに紙幣を集積したとき、一時集積部２５ａに設けられている図示しないフル検知センサの出力に基づいて一時集積部２５ａがフル（満杯）になったか否かを判断し（Ｓ９）、フルの場合は一旦紙幣の繰り出し動作を停止して（Ｓ１０）、一時集積部２５ａの紙幣を紙幣収納庫２４ａに収納した後（Ｓ１１）、繰り出し動作を再開する（Ｓ１２）。
【００２７】
また、制御部１０は前記のように出金口２８に損券を集積したとき、出金口２８に設けられている図示しないフル検知センサの出力に基づいて出金口２８がフル（満杯）になったか否かを判断し（Ｓ１３）、フルの場合は一旦紙幣の繰り出し動作を停止して（Ｓ１４）、出金口２８のシャッターを開き、更に出金口２８から損券を抜き取るよう促す画面を表示部５に表示したり、音声で抜き取りを誘導する（Ｓ１５）。
【００２８】
これによりオペレータが出金口２８から損券を抜き取ると、制御部１０は出金口２８のシャッターを閉じ、紙幣の繰り出し動作を再開させる（Ｓ１６）。
尚、このとき表示部５には、再び損券回収画面を表示する。
更に、制御部１０は前記のように出金ＲＪ庫２７にリジェクト券を収納したとき、出金ＲＪ庫２７に設けられている図示しないフル検知センサの出力に基づいて出金ＲＪ庫２７がフル（満杯）になったか否かを判断し（Ｓ１７）、フルの場合は一旦紙幣の繰り出し動作を停止して（Ｓ１８）、出金ＲＪ庫２７からリジェクト券を回収するように促す画面を表示部５に表示したり、音声で回収を誘導する処理を行う（Ｓ１９）。
【００２９】
これによりオペレータが出金ＲＪ庫２７からリジェクト券を回収し、その後、入力部４をリジェクト券の回収を終了した旨の入力を行うと、制御部１０は紙幣の繰り出し動作を再開させる（Ｓ２０）。
この場合も表示部５に損券回収画面を再び表示する。
尚、上記フルの判定（Ｓ７、Ｓ１３、Ｓ１７）は、フル検知センサによる他、各々予め決められた枚数に達したときとしてもよい。
【００３０】
次に制御部１０は、紙幣収納庫２４ａ内の紙幣がエンドになったか否かを、紙幣収納庫２４ａに設けられている図示しないフル検知センサの出力に基づいて判断し、また万円券用の繰出枚数カウンタ１０ｂの値による金額が万円券用の現金在高カウンタ１０ａの値以上になったか否かを判断して（Ｓ２１）、エンドではなく、万円券用の繰出枚数カウンタ１０ｂの値による金額が万円券用の現金在高カウンタ１０ａの値以上でもない場合、Ｓ４からの処理を繰り返す。
【００３１】
エンドまたは万円券用の繰出枚数カウンタ１０ｂの値による金額が万円券用の現金在高カウンタ１０ａの値以上になった場合は、紙幣収納庫２４ａ内からの紙幣の繰り出しを停止し、このとき一時集積部２５ａに紙幣が集積されていれば、その紙幣を紙幣収納庫２４ａに収納する（Ｓ２２）。
続いて、制御部１０は別の金種の指定があるか否かを判断する（Ｓ２３）。
【００３２】
本実施例では前記のように回収紙幣の金種として千円が指定されているので、Ｓ４に戻り繰り出し対象を千円紙幣用の紙幣収納庫２４ｄに変更して、前記万円紙幣の場合と同様に千円紙幣の損券を回収する。
尚、千円紙幣の損券を回収する前に出金口２８に端数の万円紙幣の損券が集積されている場合、その損券を抜き取らせるようにしてもよい。
【００３３】
そして、指定したすべての金種における損券の回収が終了すると、制御部１０は前記損券回収画面に回収結果を確認して完了キーを押下するように促すメッセージを表示し（Ｓ２４）、出金口２８のシャッターを開いて損券の抜き取りを誘導する（Ｓ２５）。
これによりオペレータは出金口８から損券を抜き取り、損券回収画面のエリアＡに表示されている回収枚数、回収金額を確認した後、入力部４を操作して前記損券回収画面の完了キーＣを押下する（Ｓ２６）。
【００３４】
尚、途中でリジェクト券の抜き取った場合（例えば、Ｓ８、Ｓ１７〜Ｓ２０の処理が実行された場合）、オペレータはそのリジェクト券の処理を行う。この処理としては抜き取ったリジェクト券を手で計数して回収するか、または金種別に分けて紙幣収納庫２４ａ〜２４ｄ内に戻す等のことを行う。
制御部１０はカウンタ登算を行う（Ｓ２７）。すなわち、今回の損券の処理によりオペレータに回収させた損券の金種別の金額を該当金種の現金在高カウンタ１０ａの値から減算し、減算した値を現金在高カウンタ１０ａの値として更新する。
【００３５】
続いて制御部１０は、オペレータに回収させた損券の明細をプリンタ６により伝票に印字させ、オペレータに放出することで損券回収の処理を終了し、表示部５に取引のメニュー画面を表示する。
尚、上記の説明では社会一般に流通量の多い万円紙幣と千円紙幣を対象として損券の回収を行う例を説明したが、五千円紙幣及びニ千円紙幣についても同様に損券を回収することが可能である。
【００３６】
以上説明したように、第１の実施例では、現金処理装置の紙幣入出金機の空き時間に紙幣入出金機の紙幣収納庫から損券のみを回収するようにしているため、紙幣収納庫内に常に損券が存在することによる資金効率の低下を抑制することができ、また、損券回収後に行われる出金取引について、その取引処理に要する時間を短縮できるという効果が得られる。
【００３７】
また、損券は紙幣入出金機の出金口に送ってオペレータに回収させるため、損券の回収処理を紙幣入出金機のみで行うことができ、ほかのオペレータが紙幣入出金機以外の現金処理ユニットで行う処理の妨げにならないという利点もある。
次に第２の実施例について説明する。
この第２の実施例は現金処理ユニットとして紙幣入出金機１と補充回収機２を用いて現金処理装置の空き時間に損券の回収処理を行うものである。
【００３８】
図８〜図１０は第２の実施例を示す損券回収動作時のフローチャート、図１１は損券回収時の紙幣の流れを示す説明図であり、以下に第２の実施例を図８〜図１０のフローチャートと共に、図４及び図１１を参照して説明する。
尚、以下の説明は、図８〜図１０のフローチャートにＳで示したステップに従って行う。
【００３９】
まず、図８に示したＳ１で損券回収画面が表示されるが、この損券回収画面には第１の実施例で説明した損券を出金口２８に排出する旨等のメッセージに代えて、損券を補充回収カセットに移動させる旨のメッセージが表示される。
この画面で金種の指定が第１の実施例と同様に行われると、続いてＳ２からＳ６まで第１の実施例と同様の処理が行われる。
【００４０】
Ｓ５で鑑別した紙幣が万円の損券の場合、回転搬送路及び接続用搬送路により紙幣補充回収機２へ搬送し（Ｓ７ａ）、この紙幣補充回収機２内の搬送路３４により補充回収カセット３１の一時集積部３２に送って集積すると共に、表示部５の損券回収画面のエリアＡに金種別の回収枚数、金種別の回収金額、合計金額を表示する。
Ｓ８からＳ１２までの処理も第１の実施例と同様に行われる。
【００４１】
制御部１０は前記のように補充回収カセット３１の一時集積部３２に損券を集積したとき、一時集積部３２に設けられている図示しないフル検知センサの出力に基づいて一時集積部３２がフル（満杯）になったか否かを判断し（Ｓ１３ａ）、フルの場合は一旦紙幣の繰り出し動作を停止して（Ｓ１４ａ）、一時集積部３２の損券を補充回収カセット３１内に落下させて収納（Ｓ１５ａ）した後、紙幣の繰り出し動作を再開させる（Ｓ１６ａ）。
【００４２】
但し、前記Ｓ１５ａにおいて損券を補充回収カセット３１内に収納することで補充回収カセット３１がフルになった場合は、それ以上紙幣を収納できないので、カセットフル発生のメッセージを表示して処理を中断し、Ｓ２４へ移行する。
前記Ｓ１６ａでの繰り出し動作再開後、Ｓ１７からＳ２４まで第１の実施例と同様に処理が行われた後、一時集積部３２に損券が集積されていれば、その損券を補充回収カセット３１内に落下させて収納（Ｓ２５ａ）するが、Ｓ２３で別の金種の指定があると判断したとき、その金種の損券を回収する際、一時集積部３２に端数の損券が集積されている場合は、その損券を補充回収カセット３１内に収納した後、次の金種の損券の回収に移るようにしてもよい。
【００４３】
以後、Ｓ２６からＳ２８まで第１の実施例と同様に処理が行われて処理終了となる。
尚、この実施例においても万円紙幣及び千円紙幣と同様に五千円紙幣及びニ千円紙幣の損券を回収することが可能である。
以上説明した第２の実施例も、現金処理装置の空き時間に紙幣入出金機の紙幣収納庫から損券のみを回収するようにしているため、紙幣収納庫内に常に損券が存在することによる資金効率の低下を抑制することができ、また、損券回収後に行われる出金取引について、その取引処理に要する時間を短縮できるという効果が得られる。
【００４４】
また、この第２の実施例では、損券を補充回収機に装着された補充回収カセットに収納するため、損券を装置から取り出す場合、補充回収カセット毎取り出すことができ、損券に人手を触れることなく回収が可能になるため、高いセキュリティー性が得られるという利点がある。
次に第３の実施例について説明する。
【００４５】
この第３の実施例は現金処理ユニットとして紙幣入出金機１と補充回収機２と施封小束支払機３を用いて現金処理装置の空き時間に損券の回収処理を行うものである。
図１２〜図１４は第３の実施例を示す損券回収動作時のフローチャート、図１５は損券回収時の紙幣の流れを示す紙幣入出金機１と補充回収機２と施封小束支払機３の概略側面図であり、以下に第２の実施例を図１２〜図１４のフローチャートと共に、図４及び図１５を参照して説明する説明する。
【００４６】
尚、以下の説明は、図１２〜図１４のフローチャートにＳで示したステップに従って行う。
まず、図１２に示したＳ１で損券回収画面が表示されるが、この損券回収画面には第１の実施例で説明した損券を出金口２８に排出する旨等のメッセージに代えて、損券を施封小束支払機３で施封して排出する旨のメッセージが表示される。
【００４７】
この画面で金種の指定が第１の実施例と同様に行われると、続いてＳ２からＳ６まで第１の実施例と同様の処理が行われる。
Ｓ５で鑑別した紙幣が万円の損券の場合、回転搬送路及び接続用搬送路により紙幣補充回収機２を経由させて施封小束支払機３へ搬送し（Ｓ７ｂ）、この施封小束支払機３内の搬送路により集積部４１に送って集積すると共に、表示部５の損券回収画面のエリアＡに金種別の回収枚数、金種別の回収金額、合計金額を表示する。
【００４８】
この実施例でもＳ８からＳ１２までの処理は第１の実施例と同様に行われる。
制御部１０は前記のように施封小束支払機３の集積部４１に損券を集積したとき、集積部４１に搬送された紙幣が一定枚数（例えば１００枚）になったか否かを判断し（Ｓ１３ｂ）、１００枚になった場合は損券の搬送先を複数ある他の集積部４１に変更する（Ｓ１４ｂ）。
【００４９】
そして、集積部４１の１００枚の損券を施封部４３に送って施封し（Ｓ１５ｂ）、施封された損券の小束を小束搬送路４４により小束出金口４５に搬送してオペレータに放出する（Ｓ１６ｂ）。
その後、Ｓ１７からＳ２４まで第１の実施例と同様に処理が行われた後、集積部４１に端数の損券が集積されていれば、その損券を集積部４１から抜き取るよう促す画面を表示部５に表示したり、音声で抜き取りを誘導する（Ｓ２５ｂ）。
【００５０】
その後、別の金種の指定があれば、同様にその金種の損券の回収を繰り返す。
以後、Ｓ２６からＳ２８まで第１の実施例と同様に処理が行われて処理終了となる。
この実施例においても万円紙幣及び千円紙幣と同様に五千円紙幣及びニ千円紙幣の損券を回収することが可能である。
以上説明した第３の実施例でも、現金処理装置の空き時間に紙幣入出金機の紙幣収納庫から損券のみを回収するようにしているため、紙幣収納庫内に常に損券が存在することによる資金効率の低下を抑制することができ、また、損券回収後に行われる集金取引について、その取引処理に要する時間を短縮できるという効果が得られる。
【００５１】
また、この第３の実施例では、損券を施封小束支払機で施封し、小束にしてオペレータに放出するため、回収した損券の取り扱いが容易になるという利点がある。
【図面の簡単な説明】
【００５２】
【図１】第１の実施例を示す損券回収動作時のフローチャート
【図２】第１の実施例を示す損券回収動作時のフローチャート
【図３】第１の実施例を示す損券回収動作時のフローチャート
【図４】本発明による現金処理装置のブロック図
【図５】主要現金処理ユニットの内部構造を示す概略側面図
【図６】第１の実施例における損券回収動作時の紙幣の流れを示す説明図
【図７】損券回収画面の１例を示す図
【図８】第２の実施例を示す損券回収動作時のフローチャート
【図９】第２の実施例を示す損券回収動作時のフローチャート
【図１０】第２の実施例を示す損券回収動作時のフローチャート
【図１１】第２の実施例における損券回収動作時の紙幣の流れを示す説明図
【図１２】第３の実施例を示す損券回収動作時のフローチャート
【図１３】第３の実施例を示す損券回収動作時のフローチャート
【図１４】第３の実施例を示す損券回収動作時のフローチャート
【図１５】第３の実施例における損券回収動作時の紙幣の流れを示す説明図
【符号の説明】
【００５３】
１    紙幣入出金機
２    補充回収機
３    施封小束支払機
４    入力部
５    表示部
６    プリンタ
７    第１の記憶部
８    第２の記憶部
９    通信部
１０  制御部
１０ａ  現金在高カウンタ
１０ｂ  繰出枚数カウンタ
２１  入金口
２２  第１の鑑別部
２３  入金ＲＪ口
２４ａ〜２４ｄ  紙幣収納庫
２５ａ〜２５ｄ  一時集積部
２６  第２の鑑別部
２７  出金ＲＪ庫
２８  出金口
２９  搬送路
３１  補充回収カセット
３２  一時集積部
３３  鑑別部
３４  搬送路
４１  集積部
４２  搬送路
４３  施封部
４４  小束搬送路
４５  小束出金口
【図１】
2006268605.tif 000003
【図２】
2006268605.tif 000004
【図３】
2006268605.tif 000005
【図４】
2006268605.tif 000006
【図５】
2006268605.tif 000007
【図６】
2006268605.tif 000008
【図７】
2006268605.tif 000009
【図８】
2006268605.tif 000010
【図９】
2006268605.tif 000011
【図１０】
2006268605.tif 000012
【図１１】
2006268605.tif 000013
【図１２】
2006268605.tif 000014
【図１３】
2006268605.tif 000015
【図１４】
2006268605.tif 000016
【図１５】
2006268605.tif 000017